(57)【要約】【課題】  従来の口紅等の収納容器は、軟質ゴム材等によって形成させたＯリング、または突部や突起が抜け出し防止機構の上部に配置され、外筒部材内周面に接触させることで収納容器の繰り出しトルクを得るように作用するものであった。しかし、このように構成された収納容器は外筒部材と内筒部材の間に故意に隙間を設けざる得ない構造のためＯリングまたは突部や突起との接触部を支点として外筒部材に首振りの様な動きが生じてしまい、これをガタツキとして判断され商品価値を下げてしまっていた。【解決手段】内筒部材の外筒部材内に収納される部位に係止溝が形成され、この係止溝より上部に良好な繰り出しトルクを得るためにＯリングを配置し、さらに係止溝より下部に外筒部材の内周面に接触させる事で外筒部材のガタツキを防止し繰り出しトルクに影響を与えないように薄肉に形成され柔軟性を持たせた舌片を配置した構造を形成する事で解決した。【選択図】図１
2019180667.tif 000002
【特許請求の範囲】
【請求項１】
筒状の外筒部材と、この外筒部材に回動可能ではあるが抜け出し不能に収納される内筒部材と、口紅等の棒状化粧料を保持し外筒部材内で上下移動可能に形成された皿部材と、内筒部材の外筒部材に覆われる部位に配置されるＯリングと、外筒部材と内筒部材を回動させることによって皿部材を上下移動させることのできる上下移動機構を有する口紅等の収納容器において、内筒部材の外筒部材内に収納される部位に係止溝が形成されるとともに、この係止溝より上部に良好な繰り出しトルクを得るためにＯリングを配置し、さらに係止溝より下部に外筒部材の内周面に接触させる事で外筒部材のガタツキを防止し繰り出しトルクに影響を与えないように薄肉に形成され柔軟性を持たせた舌片を配置した構造としたことを特徴とする口紅等の収納容器。
【請求項２】
係止溝の下部に舌片溝が形成され、舌片溝の中に舌片が形成された請求項１記載の口紅等の収納容器。
【発明の詳細な説明】
【技術分野】
【０００１】
本発明は化粧品などの棒状化粧料を繰り出して使用する口紅等の収納容器に関する
【背景技術】
【０００２】
従来の口紅等の収納容器は、筒状の外筒部材と、この外筒部材に回動可能ではあるが抜け出し不能に収納される内筒部材と、口紅等の棒状化粧料を保持し外筒部材内で上下移動可能に形成された皿部材と、内筒部材の外筒部材に覆われる部位に配置されるＯリングと、内筒部材下部を覆うハカマ部材と、外筒部材と内筒部材を回動させることによって皿部材を上下移動させることのできる上下移動機構とから形成されていた。
【０００３】
このように構成された口紅等の収納容器では、皿部材を上下移動させる際に外筒部材と内筒部材を回動させるトルク値（繰り出しトルク）を管理する必要があり、その仕組みとして内筒部材の外筒部材に収納される位置に軟質ゴム材のＯリングを装着し外筒部材内周面に接触させるという手法が用いられていた。このような構造としては特許公報５４７０００４号がある。
【０００４】
また、内筒部材上方部に形成され外筒部材の内面に弾接する突部または突起より構成され軟質ゴム材等のＯリングの代わりに突部または突起を内筒部材と外筒部材の間に配置するという方法によって繰り出しトルクを発生させている構造としては実用新案登録公報２５７６２２７号がある。
【先行技術文献】
【特許文献】
【０００５】
【特許文献１】特許公報５４７０００４号
【特許文献２】実用新案登録公報２５７６２２７号
【発明の概要】
【発明が解決しようとする課題】
【０００６】
従来の口紅等の収納容器は、外筒部材と内筒部材の抜け出し防止機構として内筒部材に係止溝を形成し、その係止溝と外筒部材の対応する位置を外側からロール巻き閉め加工などによる手段によって内筒部材に形成された係止溝に入るまで変形させる事によって外筒部材と内筒部材を回動可能ではあるが、抜け出し不能となる抜け出し防止機構が形成されている。そして軟質ゴム材等によって形成させたＯリング、または突部や突起がこの抜け出し防止機構の上部に配置され、外筒部材内周面に接触させることで収納容器の繰り出しトルクを得るように作用するものであった。
【０００７】
しかし、このように構成された口紅等の収納容器は外筒部材と内筒部材の間に故意に隙間を設けＯリングまたは突起や突部を外筒部材と内筒部材に接触させる構造であり、隙間を設けざる得ない構造のためＯリングまた突起や突部との接触部を支点として外筒部材と内筒部材に首振りの様な動きが生じてしまい、それが外筒部材のガタツキとして判断され商品価値を下げてしまっていた。
【０００８】
特許公報５４７０００４号の請求項では「この抜け出し防止機構の上下に配置されラセン部材外周面及び内筒部材内周面に接する２個の軟質材によって形成されたオーリングを配置したことでガタツキを防止する構造」と記載されているが、Ｏリングを２個使用しているため組立難く、コストも高くなってしまうという欠点があった。
【０００９】
実用新案登録公報２５７６２２７号の説明では「スリーブ１８と螺旋筒７を相対回転させると、螺旋筒７の弾性突部１７がスリーブ１８の内壁に弾性を有して摺接してしるため、摺動摩擦抵抗が発生するようになっている。」さらに「この螺旋筒７の側壁には、スリーブ１８の内壁に摺接する弾性突部１７を設けたため、必要最小限の全長の中に良好な繰り出し操作感を得る回転重み出し機能を追加する事ができる。」と記載され摺動摩擦（繰り出しトルク）を得るための制動手段であり、ガタツキの防止が目的では無い。
【００１０】
本発明は以上のような従来の欠点に鑑み、組み立てやすく外筒部材と内筒部材にガタツキが発生し商品価値を下げてしまう事のない口紅等の収納容器を得ることにある。
【課題を解決するための手段】
【００１１】
上記の課題を解決するため本発明は筒状の外筒部材と、この外筒部材下方内に回動可能ではあるが抜け出し不能に収納される内筒部材と、口紅等の棒状化粧料を保持し外筒部材内で上下移動可能に形成された皿部材と、内筒部材の外筒部材に覆われる部位に配置されるＯリングと、外筒部材と内筒部材を回動させることによって皿部材を上下移動させることのできる上下移動機構と、内筒部材の下部を覆うハカマ部材とから構成される口紅等の収納容器において、内筒部材の外筒部材内に収納される部位に係止溝が形成されるとともに、この係止溝より上部に良好な繰り出しトルクを得るためにＯリングを配置し、さらに係止溝より下部に外筒部材の内周面に接触させる事で外筒部材のガタツキを防止し繰り出しトルクに影響を与えないように薄肉に形成され柔軟性を持たせた舌片を配置した構造としたことを特徴とする口紅等の収納容器。
【発明の効果】
【００１２】
内筒部材の係止溝の下部に薄肉に形成し柔軟性を持たせた舌片を配置する事によって、外筒部材を内筒部材に装着されたＯリングと係止溝と舌片の三ヶ所で支え商品価値を下げてしまう首振りのような動きのガタツキを無くすことができ、さらに突起や突部を設けるよりも外筒部材に対する摩擦力を小さくできるため繰り出しトルクへの影響を最小限にする事ができる。
【図面の簡単な説明】
【００１３】
【図１】発明の実施形態例１を示す断面説明図である。
【図２】発明の実施形態例１の内筒部材の斜視図である。
【図３】発明の実施形態例２を示す断面説明図である。
【図４】発明の実施形態例２の内筒部材の斜視図である。
【図５】発明の実施形態例３を示す断面説明図である。
【図６】発明の実施形態例３の内筒部品と中螺旋部材の斜視図である。
【図７】発明の請求項２の実施例を示す断面説明図である。
【図８】発明の請求項２の実施例の内筒部材の拡大図である。
【図９】発明の請求項２の実施例の内筒部材の拡大図である。
【発明を実施するための形態】
【００１４】
口紅等の収納容器において、内筒部材の外筒部材内に収納される部位に係止溝が形成されるとともに、この係止溝より上部に良好な繰り出しトルクを得るためにＯリングを配置し、さらに係止溝より下部に外筒部材の内周面に接触させる事で外筒部材のガタツキを防止し繰り出しトルクに影響を与えないように薄肉に形成され柔軟性を持たせた舌片を配置した構造としたことを特徴とする口紅等の収納容器。
【実施例】
【００１５】
以下、図に示す実施例により本発明を詳細に説明する。ただし、図面はもっぱら解説のためのものであって、本発明の技術的範囲を限定するものではない。
【００１６】
図１ないし図２に示す発明の実施例１において、１８Ａは口紅等の収納容器で、この収納容器１８Ａは外筒部材１Ａ、皿部材５Ａ、内筒部材１３Ａ、抜け出し防止機構１２、Ｏリング１０、ハカマ部材１６とから構成されている。
【００１７】
１Ａは外筒部材で、この外筒部材１Ａは上下が開口された筒状に形成され、内部には軸心方向に係合溝２Ａが形成されている。
【００１８】
５Ａは棒状化粧料４を保持し外筒部材１Ａ内で上下移動可能に形成された皿部材で、この皿部材５Ａの側面には前記外筒部材１Ａの係合溝２Ａと係合する係合ピン６Ａが形成され外筒部材１Ａに上下移動可能ではあるが回動不能に構成されるとともに、底部から雄ネジ７Ａが垂下されている。
【００１９】
１３Ａは前記外筒部材１に対して回動可能ではあるが抜け出し不能に係止された内筒部材で、この内筒部材１３Ａの上部には前記皿部材５Ａの雄ネジ７Ａと螺合する雌ネジ８Ａが形成され外筒部材１Ａと内筒部材１３Ａを回動させることによって皿部材５Ａ、及び棒状化粧料４を外筒部材１Ａ内で上下移動させることのできる上下移動機構９Ａが形成されている。さらに下部には係止溝１４Ａが形成され、この係止溝１４Ａの上部にはＯリング溝１１Ａが形成される。また係止溝１４Ａの下部には繰り出しトルクに影響を与えないよう薄肉で柔軟性を持たせた舌片１５Ａが形成され、この舌片１５Ａが外筒部材１Ａの内周面に接する事によって外筒部材１Ａのガタツキを無くすことができる。またこの舌片１５Ａは複数形成しても良い。
【００２０】
１２は外筒部材１Ａと内筒部材１３Ａの抜け出し防止機構で、この抜け出し防止機構１２は内筒部材１３Ａに形成された係止溝１４Ａと、この係止溝１４Ａと対応する部位の外筒部材１Ａを外部よりロール巻き閉め加工などの手段によって係止溝１４Ａに入るまで変形させる事によって外筒部材１Ａと内筒部材１３Ａを回動可能ではあるが抜け出し不能にする構造が形成されている。
【００２１】
１０はＯリング溝１１Ａに装着され、外筒部材１Ａと内筒部材１３Ａの両部材に接触させる事で繰り出しトルクを発生させるＮＢＲ材、シリコン材などの軟質ゴム材等で形成されたＯリングである。
【００２２】
１６は少なくとも内筒部材１３Ａの下部を覆うハカマ部材である。
【００２３】
図３ないし図４に示す発明の実施例２において、１８Ｂは口紅等の収納容器で、この収納容器１８Ｂは外筒部材１Ｂ、皿部材５Ｂ、内筒部材１３Ｂ、抜け出し防止機構１２、Ｏリング１０、ハカマ部材１６とから構成されている。
【００２４】
１Ｂは外筒部材で、この外筒部材１Ｂは上下が開口された筒状に形成され、軸心方向に切欠き３が形成されている。
【００２５】
５Ｂは棒状化粧料４を保持し外筒部材１Ｂ内で上下移動可能に形成された皿部材で、この皿部材５の側面には前記外筒部材１Ｂの切欠き３と係合する係合ピン６Ｂが形成され外筒部材１Ｂに上下移動可能ではあるが回動不能に構成されるとともに、下部に雌ネジ８Ｂが形成されている。
【００２６】
１３Ｂは前記外筒部材１Ｂに対して回動可能ではあるが抜け出し不能に係止された内筒部材で、この内筒部材１３Ｂの上部には前記皿部材５Ｂの雌ネジ８Ｂと螺合する雄ネジ７Ｂが形成され、外筒部材１Ｂと内筒部材１３Ｂを回動させることによって皿部材５Ｂ、及び棒状化粧料４を外筒部材１Ｂ内で上下移動させることのできる上下移動機構９Ｂが形成されている。さらに下部には係止溝１４Ｂが形成され、この係止溝１４Ｂの上部にはＯリング溝１１Ｂが形成される。また係止溝１４Ｂの下部には繰り出しトルクに影響を与えないよう薄肉で柔軟性を持たせた舌片１５Ｂが形成され、この舌片１５Ｂが外筒部材１Ｂの内周面に接する事によって外筒部材１Ｂのガタツキを無くすことができる。またこの舌片１５Ｂは複数形成しても良い。
【００２７】
１２は外筒部材１Ｂと内筒部材１３Ｂの抜け出し防止機構で、この抜け出し防止機構１２は内筒部材１３Ｂに形成された係止溝１４Ｂと、この係止溝１４Ｂと対応する部位の外筒部材１Ｂを外部よりロール巻き閉め加工などの手段によって係止溝１４Ｂ内まで変形させることで外筒部材１Ｂと内筒部材１３Ｂを回動可能ではあるが抜け出し不能にする構造に形成されている。
【００２８】
１０はＯリング溝１１Ｂに装着され、外筒部材１Ｂと内筒部材１３Ｂの両部材に接触させる事で繰り出しトルクを発生させるＮＢＲ材、シリコン材などの軟質ゴム材等で形成されたＯリングである。
【００２９】
１６は少なくとも内筒部材１３Ｂの下部を覆うハカマ部材である。
【００３０】
図５ないし図６に示す発明の実施例３において、１８Ｃ口紅等の収納容器で、この収納容器１８Ｃは外筒部材１Ｃ、皿部材５Ｃ、中螺旋部材１７、内筒部材１３Ｃ、抜け出し防止機構１２、Ｏリング１０、ハカマ部材１６とから構成されている。
【００３１】
１Ｃは外筒部材で、この外筒部材１Ｃは上下が開口された筒状に形成され、内部には軸心方向に係合溝２Ｃが形成されている。
【００３２】
５Ｃは棒状化粧料４を保持し外筒部材１内で上下移動可能に形成された皿部材で、この皿部材５Ｃの側面には前記外筒部材１Ｃの係合溝２Ｃと係合する係合ピン６Ｃが形成され外筒部材１Ｃに上下移動可能ではあるが回動不能に構成されるとともに、底部から雄ネジ７Ｃが垂下されている。
【００３３】
１７は前記皿部材５Ｃの雄ネジ７Ｃと螺合する雌ネジ８Ｄを内周面に形成する中螺旋部材で、この中螺旋部材１７は外周に雄ネジ７Ｄが形成されている。
【００３４】
１３Ｃは前記外筒部材１に対して回動可能ではあるが抜け出し不能に係止された内筒部材で、この内筒部材１３の上部には前記中螺旋部材１７の外周に形成されている雄ネジ７Ｄと螺合する雌ネジ８Ｃが内周に形成され外筒部材１Ｃと内筒部材１３Ｃを回動させることによって皿部材５Ｃと中螺旋部材１７及び棒状化粧料４を外筒部材１Ｃ内で上下移動させることのできる上下移動機構９Ｃが形成されている。さらに下部には係止溝１４Ｃが形成され、この係止溝１４Ｃの上部にはＯリング溝１１Ｃが形成される。また係止溝１４Ｃの下部には繰り出しトルクに影響を与えないよう薄肉で柔軟性を持たせた舌片１５Ｃが形成され、この舌片１５Ｃが外筒部材１Ｃの内周面に接する事によって外筒部材１Ｃのガタツキを無くすことができる。またこの舌片１５Ｃは複数形成しても良い。
【００３５】
１２は外筒部材１Ｃと内筒部材１３Ｃの抜け出し防止機構で、この抜け出し防止機構１２は内筒部材１３Ｃに形成された係止溝１４Ｃと、この係止溝１４Ｃと対応する部位の外筒部材１Ｃを外部よりロール巻き閉め加工などの手段によって係止溝１４Ｃ内まで変形させることで外筒部材１Ｃと内筒部材１３Ｃを回動可能ではあるが抜け出し不能にする構造に形成されている。
【００３６】
１０は外筒部材１Ｃと内筒部材１３Ｃの間に形成されたＯリング溝１１Ｃに装着され、両部材が接することで外筒部材１Ｃと内筒部材１３Ｃの繰り出しトルクを発生させるＮＢＲ材、シリコン材などの軟質ゴム材で形成されたＯリングである。
【００３７】
１６は少なくとも内筒部材１３Ｃの下部を覆うハカマ部材である。
【００３８】
図７、図８、ないし図９に示す発明の請求項２の実施例について説明する。なおこれらの実施例の説明に当って、前記本考案の実施例と同一構成部分には同一符号を付して重複する説明を省略する。
【００３９】
１３Ｅ、１３Ｆは内筒部材で、内筒部材１３Ｅには係止溝１４Ｅの下部に周状に舌片溝１９Ｅが形成され、この舌片溝１９Ｅの内側に舌片１５Ｅが複数形成されている。内筒部材１３Ｆでは係止溝１４Ｆの下部に舌片溝１９Ｆが複数形成されこの舌片溝１９Ｆの内側に舌片１５Ｆが形成されている。この舌片溝１９Ｅ、１９Ｆを形成する事によって薄肉で形成された舌片１５Ｅ、１５Ｆの柔軟性を増す事ができ、さらに繰り出しトルクへ影響もより与え難くなり外筒部材１Ａのガタツキを防止できる。
【産業上の利用可能性】
【００４０】
本発明は以上のように構成されているので、棒状化粧品に限らず棒状製品を収納して繰り出しする構造のものであれば何にでも使用することができる。
【符号の説明】
【００４１】
１Ａ、１Ｂ、１Ｃ、外筒部材
２Ａ、２Ｃ、係合溝
３、切欠き
４、棒状化粧料
５Ａ、５Ｂ、５Ｃ、皿部品
６Ａ、６Ｂ、６Ｃ、係合ピン
７Ａ、７Ｂ、７Ｃ、７Ｄ、雄ネジ
８Ａ、８Ｂ、８Ｃ、８Ｄ、８Ｅ、雌ネジ
９Ａ、９Ｂ、９Ｃ、上下移動機構
１０、Ｏリング
１１Ａ、１１Ｂ、１１Ｃ、１１Ｅ、１１Ｆ、Ｏリング溝
１２、抜け出し防止機構
１３Ａ、１３Ｂ、１３Ｃ、１３Ｅ、１３Ｆ、内筒部材
１４Ａ、１４Ｂ、１４Ｃ、１４Ｅ、１４Ｆ、係止溝
１５Ａ、１５Ｂ、１５Ｃ、１５Ｅ、１５Ｆ、舌片
１６、ハカマ部材
１７、中螺旋部材
１８Ａ、１８Ｂ、１８Ｃ、収納容器
１９、１９Ｅ、１９Ｆ、舌片溝
【図１】
2019180667.tif 000003
【図２】
2019180667.tif 000004
【図３】
2019180667.tif 000005
【図４】
2019180667.tif 000006
【図５】
2019180667.tif 000007
【図６】
2019180667.tif 000008
【図７】
2019180667.tif 000009
【図８】
2019180667.tif 000010
【図９】
2019180667.tif 000011